(57)【要約】【課題】異なる複数の露出量で同一被写体を連続的に撮影する、所謂オートブラケット撮影において、定常光の状態に応じた適正な露出制御を行い、オートブラケット撮影における一連の撮影画像の画質を向上させることである。【解決手段】本発明に係る撮影システム１００によれば、定常光検出部１により検出された定常光の被写体照度レベルＳが基準範囲内である場合、撮影制御部２は、フラッシュ発光量及びシャッター開放時間を変化させてオートブラケット撮影における各露出量を制御する。定常光の被写体照度レベルＳが基準下限値より小さい場合、撮影制御部２は、フラッシュ発光量を変化させてオートブラケット撮影における各露出量を制御する。また、定常光の被写体照度レベルＳが基準上限値より大きい場合、撮影制御部２は、シャッター開放時間を変化させてオートブラケット撮影における各露出量を制御する。【選択図】図１
2005242160.tif 000002
【特許請求の範囲】
【請求項１】
異なる複数の露出量を変化させて同一被写体を連続的に撮影する撮影制御方法において、
フラッシュ光の発光量とシャッター開放時間との組み合わせを変化させて前記撮影における露出量を制御することを特徴とする撮影制御方法。
【請求項２】
定常光による被写体の照度レベルを検出し、前記検出された定常光による被写体の照度レベルに基づいて、前記フラッシュ光の発光量と前記シャッター開放時間との組み合わせを変化させることを特徴とする請求項１に記載の撮影制御方法。
【請求項３】
絞り値、又は、光軸経路中に着脱可能な若しくはその光学濃度を制御可能な光学フィルタの光の透過量を変化させ、前記絞り値又は前記光学フィルタの光の透過量の変化、及び前記定常光の被写体の照度レベルに基づいて、前記フラッシュ光の発光量と前記シャッター開放時間との組み合わせを変化させることを特徴とする請求項２に記載の撮影制御方法。
【請求項４】
前記定常光の色温度を検出し、前記フラッシュ光が前記検出された定常光の色温度に近似するように制御することを特徴とする請求項１〜３の何れか一項に記載の撮影制御方法。
【請求項５】
前記定常光の色温度を検出し、複数の異なる色温度のフラッシュ光を照射するための複数のフラッシュ光源の中から前記検出された色温度に最も近い色温度のフラッシュ光源を選択的に発光させるか或いは他のフラッシュ光源に比べて発光量を増加させるように制御することを特徴とする請求項１〜３の何れか一項に記載の撮影制御方法。
【請求項６】
前記定常光の照射方向を検出し、前記フラッシュ光の照射方向を前記検出された定常光の照射方向と略同一の方向となるようにフラッシュ光源の方向を制御することを特徴とする請求項１〜５の何れか一項に記載の撮影制御方法。
【請求項７】
前記定常光の照射方向を検出し、複数の異なる方向からフラッシュ光を照射するための複数のフラッシュ光源の中からフラッシュ光の照射方向が前記検出された定常光の照射方向に最も近いフラッシュ光源を選択的に発光させるか或いは他のフラッシュ光源に比べて発光量を増加させるように制御することを特徴とする請求項１〜５の何れか一項に記載の撮影制御方法。
【請求項８】
前記撮影に光導電作用を有する半導体デバイスを撮像素子として有する撮影装置を用いることを特徴とする請求項１〜７の何れか一項に記載の撮影制御方法。
【請求項９】
被写体を撮影する撮影部と、前記被写体にフラッシュ光を照射する発光部と、異なる複数の露出量を変化させて同一被写体を連続的に撮影するよう制御する撮影制御部と、を備えた撮影システムであって、
前記撮影制御部は、前記フラッシュ光の発光量とシャッター開放時間との組み合わせを変化させることにより前記異なる複数の露出量を変化させることを特徴とする撮影システム。
【請求項１０】
定常光による被写体の照度レベルを検出する定常光検出部を備え、
前記撮影制御部は、前記検出された定常光による被写体の照度レベルに基づいて、前記フラッシュ光の発光量と前記シャッター開放時間との組み合わせを変化させることを特徴とする請求項９に記載の撮影システム。
【請求項１１】
絞り、又は、光軸経路中に着脱可能な若しくはその光学濃度を制御可能な光学フィルタを備え、
前記撮影制御部は、前記絞りの値又は前記光学フィルタの光の透過量の変化、及び前記検出された定常光の被写体の照度レベルに基づいて、前記フラッシュ光の発光量と前記シャッター開放時間との組み合わせを変化させることを特徴とする請求項１０に記載の撮影システム。
【請求項１２】
前記定常光の色温度を検出する色温度検出部を備え、
前記撮影制御部は、前記フラッシュ光が前記検出された定常光の色温度に近似するように制御することを特徴とする請求項９〜１１の何れか一項に記載の撮影システム。
【請求項１３】
前記定常光の色温度を検出する色温度検出部を備え、
前記発光部は、複数の異なる色温度のフラッシュ光を照射するための複数のフラッシュ光源を有し、
前記撮影制御部は、前記複数のフラッシュ光源の中から前記検出された色温度に最も近い色温度のフラッシュ光源を選択的に発光させるか或いは他のフラッシュ光源に比べて発光量を増加させるように制御することを特徴とする請求項９〜１１の何れか一項に記載の撮影システム。
【請求項１４】
前記定常光の照射方向を検出する定常光照射方向検出部を備え、
前記撮影制御部は、前記フラッシュ光の照射方向を前記検出された定常光の照射方向と略同一の方向となるように前記発光部のフラッシュ光源の方向を制御することを特徴とする請求項９〜１３の何れか一項に記載の撮影システム。
【請求項１５】
前記定常光の照射方向を検出する定常光照射方向検出部を備え、
前記発光部は、複数の異なる方向からフラッシュ光を照射するための複数のフラッシュ光源を有し、
前記撮影制御部は、前記複数のフラッシュ光源の中からフラッシュ光の照射方向が前記検出された定常光の照射方向に最も近いフラッシュ光源を選択的に発光させるか或いは他のフラッシュ光源に比べて発光量を増加させるように制御することを特徴とする請求項９〜１３の何れか一項に記載の撮影システム。
【請求項１６】
前記撮影部は、光導電作用を有する半導体デバイスを撮像素子として有することを特徴とする請求項９〜１５の何れか一項に記載の撮影システム。
【発明の詳細な説明】
【技術分野】
【０００１】
本発明は、フラッシュ発光量とシャッター開放時間との組み合わせを変化させ、異なる複数の露出量により同一被写体の一連の撮影を行う撮影制御方法、撮影システムに関する。
【背景技術】
【０００２】
従来、絞り値やシャッター開放時間等の露出条件を変化させることにより露出量を段階的に変化させて異なる複数の露出量により複数枚の写真を連続的に撮影するオートブラケット機能（露出ブラケット機能）を備えたカメラが知られている。
【０００３】
例えば、特許文献１には、オートブラケット撮影において、ストロボ発光量により露出量を変化させる技術が開示されている。また、例えば、特許文献２には、フラッシュ撮影毎に、フラッシュの発光量を基準値に対して任意の量増減するフラッシュブラケット機能を備え、フラッシュブラケットの調光補正量を表示するカメラが記載されている。
【特許文献１】特開平５−１９６９８５号公報
【特許文献２】特開２０００−７５３７１号公報
【発明の開示】
【発明が解決しようとする課題】
【０００４】
しかしながら、従来、オートブラケット撮影において、絞り値を変化させることにより露出量を変化させる場合には、連続した撮影でピントが変化する場合があった。また、ストロボ発光量により露出量を変化させて露出制御を行う場合においては、ストロボの閃光とは別に被写体に安定して照射される照明光や太陽光等の定常光の状態が考慮されていなかった。
【０００５】
本発明の課題は、異なる複数の露出量で同一被写体を連続的に撮影する、所謂オートブラケット撮影において、定常光の状態に応じた適正な露出制御を行い、オートブラケット撮影における一連の撮影画像の画質を向上させることである。
【課題を解決するための手段】
【０００６】
上記課題を解決するため、請求項１に記載の発明の撮影制御方法は、
異なる複数の露出量を変化させて同一被写体を連続的に撮影する撮影制御方法において、
フラッシュ光の発光量とシャッター開放時間との組み合わせを変化させて前記撮影における露出量を制御することを特徴としている。
【０００７】
請求項２に記載の発明は、請求項１に記載の発明において、
定常光による被写体の照度レベルを検出し、前記検出された定常光による被写体の照度レベルに基づいて、前記フラッシュ光の発光量と前記シャッター開放時間との組み合わせを変化させることを特徴としている。
【０００８】
請求項３に記載の発明は、請求項２に記載の発明において、
絞り値、又は、光軸経路中に着脱可能な若しくはその光学濃度を制御可能な光学フィルタの光の透過量を変化させ、前記絞り値又は前記光学フィルタの光の透過量の変化、及び前記定常光の被写体の照度レベルに基づいて、前記フラッシュ光の発光量と前記シャッター開放時間との組み合わせを変化させることを特徴としている。
【０００９】
請求項４に記載の発明は、請求項１〜３の何れか一項に記載の発明において、
前記定常光の色温度を検出し、前記フラッシュ光が前記検出された定常光の色温度に近似するように制御することを特徴としている。
【００１０】
請求項５に記載の発明は、請求項１〜３の何れか一項に記載の発明において、
前記定常光の色温度を検出し、複数の異なる色温度のフラッシュ光を照射するための複数のフラッシュ光源の中から前記検出された色温度に最も近い色温度のフラッシュ光源を選択的に発光させるか或いは他のフラッシュ光源に比べて発光量を増加させるように制御することを特徴としている。
【００１１】
請求項６に記載の発明は、請求項１〜５の何れか一項に記載の発明において、
前記定常光の照射方向を検出し、前記フラッシュ光の照射方向を前記検出された定常光の照射方向と略同一の方向となるようにフラッシュ光源の方向を制御することを特徴としている。
【００１２】
請求項７に記載の発明は、請求項１〜５の何れか一項に記載の発明において、
前記定常光の照射方向を検出し、複数の異なる方向からフラッシュ光を照射するための複数のフラッシュ光源の中からフラッシュ光の照射方向が前記検出された定常光の照射方向に最も近いフラッシュ光源を選択的に発光させるか或いは他のフラッシュ光源に比べて発光量を増加させるように制御することを特徴としている。
【００１３】
請求項８に記載の発明は、請求項１〜７の何れか一項に記載の発明において、
前記撮影に光導電作用を有する半導体デバイスを撮像素子として有する撮影装置を用いることを特徴としている。
【００１４】
請求項９に記載の発明は、
被写体を撮影する撮影部と、前記被写体にフラッシュ光を照射する発光部と、異なる複数の露出量を変化させて同一被写体を連続的に撮影するよう制御する撮影制御部と、を備えた撮影システムであって、
前記撮影制御部は、前記フラッシュ光の発光量とシャッター開放時間との組み合わせを変化させることにより前記異なる複数の露出量を変化させることを特徴としている。
【００１５】
請求項１０に記載の発明は、請求項９に記載の発明において、
定常光による被写体の照度レベルを検出する定常光検出部を備え、
前記撮影制御部は、前記検出された定常光による被写体の照度レベルに基づいて、前記フラッシュ光の発光量と前記シャッター開放時間との組み合わせを変化させることを特徴としている。
【００１６】
請求項１１に記載の発明は、請求項１０に記載の発明において、
絞り、又は、光軸経路中に着脱可能な若しくはその光学濃度を制御可能な光学フィルタを備え、
前記撮影制御部は、前記絞りの値又は前記光学フィルタの光の透過量の変化、及び前記検出された定常光の被写体の照度レベルに基づいて、前記フラッシュ光の発光量と前記シャッター開放時間との組み合わせを変化させることを特徴としている。
【００１７】
請求項１２に記載の発明は、請求項９〜１１の何れか一項に記載の発明において、
前記定常光の色温度を検出する色温度検出部を備え、
前記撮影制御部は、前記フラッシュ光が前記検出された定常光の色温度に近似するように制御することを特徴としている。
【００１８】
請求項１３に記載の発明は、請求項９〜１１の何れか一項に記載の発明において、
前記定常光の色温度を検出する色温度検出部を備え、
前記発光部は、複数の異なる色温度のフラッシュ光を照射するための複数のフラッシュ光源を有し、
前記撮影制御部は、前記複数のフラッシュ光源の中から前記検出された色温度に最も近い色温度のフラッシュ光源を選択的に発光させるか或いは他のフラッシュ光源に比べて発光量を増加させるように制御することを特徴としている。
【００１９】
請求項１４に記載の発明は、請求項９〜１３の何れか一項に記載の発明において、
前記定常光の照射方向を検出する定常光照射方向検出部を備え、
前記撮影制御部は、前記フラッシュ光の照射方向を前記検出された定常光の照射方向と略同一の方向となるように前記発光部のフラッシュ光源の方向を制御することを特徴としている。
【００２０】
請求項１５に記載の発明は、請求項９〜１３の何れか一項に記載の発明において、
前記定常光の照射方向を検出する定常光照射方向検出部を備え、
前記発光部は、複数の異なる方向からフラッシュ光を照射するための複数のフラッシュ光源を有し、
前記撮影制御部は、前記複数のフラッシュ光源の中からフラッシュ光の照射方向が前記検出された定常光の照射方向に最も近いフラッシュ光源を選択的に発光させるか或いは他のフラッシュ光源に比べて発光量を増加させるように制御することを特徴としている。
【００２１】
請求項１６に記載の発明は、請求項９〜１５の何れか一項に記載の発明において、
前記撮影部は、光導電作用を有する半導体デバイスを撮像素子として有することを特徴としている。
【発明の効果】
【００２２】
請求項１、９に記載の発明によれば、フラッシュ光の発光量とシャッター開放時間との組み合わせを変化させることにより、異なる複数の露出量を変化させて同一被写体を連続的に撮影する際の露出制御を行う。従って、フラッシュ光の発光量とシャッター開放時間の組み合わせを利用して、定常光の状態に応じた適正な露出制御を行うことが可能となるとともに、連続撮影で得られる一連の複数画像間でピントが一切変化することがなく、画質を安定させることが可能となる。
【００２３】
請求項２、１０に記載の発明によれば、定常光による被写体の照度レベルを検出し、検出された定常光による被写体の照度レベルに基づいて、フラッシュ光の発光量とシャッター開放時間との組み合わせを変化させて露出量を制御するので、撮影時の定常光の状態に応じて適正に露出量を制御することが可能となる。
【００２４】
請求項３、１１に記載の発明によれば、絞り値、又は、光軸経路中に着脱可能な若しくはその光学濃度を制御可能な光学フィルタの光の透過量を変化させ、絞り値又は前記光学フィルタの光の透過量の変化、及び前記定常光の被写体の照度レベルに基づいて、フラッシュ光の発光量とシャッター開放時間との組み合わせを変化させて露出量を制御する。従って、フラッシュ光の発光量とシャッター開放時間との組み合わせのみでの露出量を変化させる場合に比べ、一連の撮影における露出量の可変量を大きくすることが可能となり、より広いダイナミックレンジの輝度情報を得ることが可能となる。
【００２５】
請求項４、１２に記載の発明によれば、定常光の色温度を検出し、フラッシュ光が検出された定常光の色温度に近似するように制御するので、フラッシュ光の色温度と定常光の色温度との際を小さくすることができ、画質の向上を図ることが可能となる。
【００２６】
請求項５、１３に記載の発明によれば、定常光の色温度を検出し、複数の異なる色温度のフラッシュ光を照射するための複数のフラッシュ光源の中から検出された色温度に最も近い色温度のフラッシュ光源を選択的に発光させるか或いは他のフラッシュ光源に比べて発光量を増加させるように制御するので、フラッシュ光の色温度と定常光の色温度との際を小さくすることができ、画質の向上を図ることが可能となる。
【００２７】
請求項６、１４に記載の発明によれば、定常光の照射方向を検出し、フラッシュ光の照射方向を検出された定常光の照射方向と略同一の方向となるようにフラッシュ光源の方向を制御するので、フラッシュ光の照射方向と定常光の照射方向との差異を小さくすることができ、画質を向上させることが可能となる。
【００２８】
請求項７、１５に記載の発明によれば、定常光の照射方向を検出し、複数の異なる方向からフラッシュ光を照射するための複数のフラッシュ光源の中からフラッシュ光の照射方向が検出された定常光の照射方向に最も近いフラッシュ光源を選択的に発光させるか或いは他のフラッシュ光源に比べて発光量を増加させるように制御するので、フラッシュ光の照射方向と定常光の照射方向との差異を小さくすることができ、画質を向上させることが可能となる。
【００２９】
請求項８、１６に記載の発明によれば、撮影に光導電作用を有する半導体デバイスを撮像素子として有するデジタルカメラ等の撮影装置を用いた場合に、ダイナミックレンジの拡張の効果が大きい。
【発明を実施するための最良の形態】
【００３０】
以下、図を参照して本発明の実施の形態を詳細に説明する。
まず、構成を説明する。
図１に、本実施の形態における撮影システム１００の全体構成例を示す。以下、図１を参照して撮影システム１００について説明する。
【００３１】
図１に示すように、撮影システム１００は、定常光検出部１、撮影制御部２、撮影部３、フラッシュ発光部４、操作部５等を備えて構成されている。
【００３２】
定常光検出部１は、例えば、照度計により構成され、定常光による被写体の照度レベル（定常光の被写体照度レベルＳ）を検出し、検出結果を撮影制御部２に出力する。
【００３３】
撮影制御部２は、ＣＰＵ（Central Processing Unit）２１、ＲＯＭ（Read Only Memory）２２、ＲＡＭ（Random Access Memory）２３等を備えて構成されている。
ＣＰＵ２１はＲＯＭ２２に記憶されているシステムプログラムや各種処理プログラムを読み出してＲＡＭ２３に展開し、展開されたプログラムに従って撮影システム１００の各部を制御し、後述するオートブラケット撮影制御処理を始めとする各種処理を実行する。
【００３４】
ＲＯＭ２２は、半導体の不揮発性メモリ等により構成され、撮影システム１００に対応するシステムプログラム、各種処理プログラム、これらのプログラムでＣＰＵ２１により参照される各種データ等を予め記憶する。
【００３５】
図２に、ＲＯＭ２２に記憶されている露出条件テーブルＡ２２１〜露出条件テーブルＣ２２３のデータ格納例を示す。図２に示すように、露出条件テーブルＡ２２１〜露出条件テーブルＣ２２３は、同一被写体を異なる複数の露出量にて撮影する場合、即ち、オートブラケット撮影を行う場合の各露出量を示す露出情報に、各露出量での撮影を実現するための露出条件として、フラッシュ発光量を示すフラッシュ発光量情報及びシャッター開放時間を示すシャッター開放時間情報の組み合わせを対応付けて記憶するものである。
【００３６】
図２（ａ）に示す露出条件テーブルＡ２２１は、定常光検出部１により検出された定常光の被写体照度レベルＳが予め設定された基準範囲内である場合に、予め設定された各露出量での撮影を実現するためのフラッシュ光量情報とシャッター開放時間情報との組み合わせを対応付けて記憶するものである。
【００３７】
図２（ｂ）に示す露出条件テーブルＢ２２２は、定常光検出部１により検出された定常光の被写体照度レベルＳが予め設定された基準下限値より小さい場合に、予め設定された各露出量での撮影を実現するためのフラッシュ光量情報とシャッター開放時間情報との組み合わせを対応付けて記憶するものである。
【００３８】
図２（ｃ）に示す露出条件テーブルＣ２２３は、定常光検出部１により検出された定常光の被写体照度レベルＳが予め設定された基準上限値より大きい場合に、予め設定された各露出量での撮影を実現するためのフラッシュ光量情報とシャッター開放時間情報との組み合わせを対応付けて記憶するものである。
【００３９】
なお、定常光の被写体照度レベルＳの基準下限値は、定常光がフラッシュ光に対して極端に小さい状態か否かを区別するために予め用意されている閾値である。定常光の被写体照度レベルＳの基準上限値は、定常光がフラッシュ光に対して極端に大きい状態か否かを区別するために予め用意されている閾値である。
【００４０】
上記図２（ａ）〜（ｃ）の各テーブルは、オートブラケット撮影時の基準となる撮影における適正露出量を「０」とし、この「０」となる適正露出量を１ＥＶずつ変化させた５段階の露出量での撮影を行う場合を想定したテーブルである。基準となる撮影における適正露出量は、予め撮影システム１００において設定されているものとするが、ユーザが操作部５から設定するようにしてもよいし、被写体輝度の測光結果に基づいて設定するようにしてもよい。また、撮影システム１００において、オートブラケット撮影の基準となる撮影における適正露出量を実現するための、基準フラッシュ発光量と基準シャッター開放時間との組み合わせは、定常光の被写体照度レベルＳ毎に予め設定されているものとする。オートブラケット撮影における各露出量に対応付けられているフラッシュ発光量情報は、基準フラッシュ発光量に対する変化量（倍率）で示されている。オートブラケット撮影における各露出量に対応付けられているシャッター開放時間情報は、基準シャッター開放時間に対する変化量（倍率）で示されている。なお、オートブラケット撮影における複数の露出量は５段階に限られるものではなく、また、各露出量の変化量もこれに限られるものではない。
【００４１】
ＲＡＭ２３は、バッファとしてＣＰＵ２１により実行されるシステムプログラム、各種処理プログラム、各処理において処理中のデータ、処理結果などを一時的に記憶するワークエリアを形成する。
【００４２】
撮影部３は、デジタルカメラであり、フォーカシングレンズ、ズームレンズ、シャッター及び絞り等を含む撮像用の光学レンズユニット、ＣＣＤ（Charge Coupled Device ）又はＣＭＯＳ（Complementary Metal Oxide Semiconductor）等の光導電作用を有する半導体デバイスからなる撮像素子を含む光電変換ユニット、Ａ／Ｄ変換器、圧縮回路、メモリ（いずれも図示せず）等により構成されている。撮影部３は、撮影制御部２に接続され、撮影制御部２からの制御に基づいて被写体を撮像し、その撮像画像を光電変換、Ａ／Ｄ変換し、得られたデジタル画像情報を圧縮処理してメモリに記録する。
【００４３】
フラッシュ発光部４は、フラッシュ光源を備え、撮影制御部２の制御に基づいて、被写体に対してフラッシュ光を照射する。
【００４４】
操作部５は、電源スイッチ、レリーズスイッチ、各種モード変換スイッチ、ズームレバー、各種設定ボタン等により構成され、ユーザによる操作信号を撮影制御部２に出力する。
【００４５】
次に、本実施の形態の動作について説明する。
図３に、撮影制御部２により実行されるオートブラケット撮影制御処理のフローチャートを示す。このオートブラケット撮影制御処理は、ＣＰＵ２１と、ＲＯＭ２２に記憶されているプログラムとの協働によるソフトウエア処理によって実現されるものであり、操作部５からオートブラケット撮影が指示された際に実行される。
【００４６】
図３に示すオートブラケット撮影制御処理は、露出条件としてフラッシュの発光量とシャッター開放時間との組み合わせを変化させることにより露出量を制御し、異なる複数の露出量での一連の撮影を実現するものである。
【００４７】
まず、操作部５から予め設定されている各種撮影条件設定（例えば、絞り、撮影感度（信号増幅率）、撮影倍率、カラーバランス調整、フォーカス条件等）に基づいて、撮影部３の各部の撮影条件が決定され、撮影部３に出力される（ステップＳ１）。次いで、定常光検出部１により、定常光の被写体照度レベルＳが検出される（ステップＳ２）。
【００４８】
定常光検出部１により検出された定常光の被写体照度レベルＳが予め設定された基準範囲内である場合（ステップＳ３；ＹＥＳ）、図２（ａ）に示す露出条件テーブルＡ２２１が読み出され、複数の露出量のそれぞれを実現するための露出条件としてフラッシュ発光量とシャッター開放時間との組み合わせが決定される（ステップＳ４）。そして、決定された撮影条件、露出条件に基づいて、撮影部３及びフラッシュ発光部４が制御され、撮影が行われる（ステップＳ８）。一連の撮影の全撮影が終了するまで、露出条件テーブルＡ２２１に基づいてフラッシュ発光量とシャッター開放時間との組み合わせが変更されて撮影が繰り返し行われ、全撮影が終了すると（ステップＳ９；ＹＥＳ）、本処理は終了する。
【００４９】
定常光検出部１により検出された定常光の被写体照度レベルＳが予め設定された基準範囲内ではなく（ステップＳ３；ＮＯ）、基準下限値より小である場合（ステップＳ５；ＹＥＳ）、図２（ｂ）に示す露出条件テーブルＢ２２２が読み出され、複数の露出量のそれぞれを実現するための露出条件としてフラッシュ発光量とシャッター開放時間との組み合わせが決定される（ステップＳ６）。そして、決定された撮影条件、露出条件に基づいて、撮影部３及びフラッシュ発光部４が制御され、撮影が行われる（ステップＳ８）。一連の撮影の全撮影が終了するまで、露出条件テーブルＢ２２２に基づいてフラッシュ発光量が変更されて撮影が繰り返し行われ、全撮影が終了すると（ステップＳ９；ＹＥＳ）、本処理は終了する。
【００５０】
定常光検出部１により検出された定常光の被写体照度レベルＳが予め設定された基準範囲内ではなく（ステップＳ３；ＮＯ）、基準下限値より小でない場合（ステップＳ５；ＮＯ）、即ち、基準上限値より大である場合、図２（ｃ）に示す露出条件テーブルＣ２２３が読み出され、複数の露出量のそれぞれを実現するための露出条件としてフラッシュ発光量とシャッター開放時間との組み合わせが決定される（ステップＳ７）。そして、決定された撮影条件、露出条件に基づいて、撮影部３及びフラッシュ発光部４が制御され、撮影が行われる（ステップＳ８）。一連の撮影の全撮影が終了するまで、露出条件テーブルＣ２２３に基づいてシャッター開放時間が変更されて撮影が繰り返し行われ、全撮影が終了すると（ステップＳ９；ＹＥＳ）、本処理は終了する。
【００５１】
ここで、図４を参照して、フラッシュ発光量Lの変化、シャッター開放時間Tの変化による露出量EVの変化及び露出量EVに占めるフラッシュ光F及び定常光Gの変化について説明する。
図４（ａ）は、シャッター開放時間Tの変化による露出量EVの変化及び露出量EVに占めるフラッシュ光F及び定常光Gの変化を示すグラフである。図４（ａ）に示すように、シャッター開放時間Tが長くなることに伴い露出量EV及び定常光Gは一定の割合で増加するがフラッシュ光Fは変化しない。即ち、フラッシュ発光量Lを一定とし、シャッター開放時間Tを変化させることにより、定常光のみによる露出制御が可能となる。
図４（ｂ）は、フラッシュ発光量Lの変化による露出量EVの変化及び露出量EVに占めるフラッシュ光F及び定常光Gの変化を示すグラフである。図４（ｂ）に示すように、フラッシュ発光量Lが増加することに伴い露出量EV及びフラッシュ光Fは一定の割合で増加するが定常光Gは変化しない。即ち、シャッター開放時間Tを一定とし、フラッシュ発光量Lを変化させることにより、フラッシュ光のみによる露出制御が可能となる。
図４（ｃ）は、シャッター開放時間T及びフラッシュ発光量Lの変化による露出量EVの変化及び露出量EVに占めるフラッシュ光F及び定常光Gの変化を示すグラフである。図４（ｃ）に示すように、シャッター開放時間T及びフラッシュ発光量Lが増加することに伴い、露出量EV、定常光量G及びフラッシュ光Fはそれぞれ一定の割合で増加する。即ち、シャッター開放時間T及びフラッシュ発光量Lを変化させることにより、定常光及びフラッシュ光による露出制御が可能となる。
【００５２】
図３において、定常光検出部１により検出された定常光の被写体照度レベルＳが基準下限値より小さい場合、即ち、定常光の被写体照度レベルＳが極端に小さい場合は、シャッター開放時間を変化させることによる露出量の変化が得られにくいので、シャッター開放時間の変化を抑制し、フラッシュ発光量を変化させるように制御することにより、オートブラケット撮影における各露出量での撮影を実現する。逆に、定常光検出部１により検出された定常光の被写体照度レベルＳが基準上限値より大きい場合、即ち、定常光の被写体照度レベルＳが十分に大きい場合は、フラッシュ発光量を変化させずとも、シャッター開放時間の変化による定常光の変化のみで露出量の変化を得ることができるので、フラッシュ発光量の変化を抑制し、シャッター開放時間を変化させるように制御して、フラッシュ光を被写体の影の抑制等最小限に使用した、定常光を生かしたオートブラケット撮影を行うことが可能となる。
【００５３】
以上説明したように、撮影システム１００によれば、定常光検出部１により検出された定常光の被写体照度レベルＳが基準範囲内である場合、フラッシュ発光量とシャッター開放時間との組み合わせを変化させることによりオートブラケット撮影における露出量の変化を実現する。定常光検出部１により検出された定常光の被写体照度レベルＳが基準下限値より小さい場合、フラッシュ発光量を変化させることによりオートブラケット撮影における露出量の変化を実現する。また、定常光検出部１により検出された定常光の被写体照度レベルＳが基準上限値より大きい場合、シャッター開放時間を変化させることによりオートブラケット撮影における露出量の変化を実現する。
【００５４】
従って、定常光の状態に応じて、適正にフラッシュ発光量とシャッター開放時間との組み合わせを制御して、異なる複数の露出量の撮影を実現することが可能となる。このとき、定常光が基準以上であれば、定常光を生かしてフラッシュ光の使用を押さえた制御を実現することができる。また、露出量を変化させるために絞り値を変化させないので、一連の撮影画像においてピント状態が一切変化することがなく、画質を安定させることができる。また、デジタルカメラ等の光導電作用を有する半導体デバイスを撮像素子として有する撮影装置では、１回の撮影のダイナミックレンジが明確に制限されているが、この一連の撮影画像から被写体の広い輝度情報を得ることができ、図５に示すように、一連の画像を合成することにより、ダイナミックレンジの広い画像を得ることが可能となる。
【００５５】
なお、定常光の被写体照射レベルがほぼ一定であり、定常光の被写体照射レベルのデータが得られている環境下（例えば、撮影スタジオ等において照明の光量をほぼ一定になるように制御している場合等）の撮影においては、そのデータを利用すればよく、定常光検出部１による検出は必須ではない。
【００５６】
（変形例１）
上記実施の形態においては、フラッシュ発光量及びシャッターの開放時間の変化のみにより露出制御を行う場合について説明したが、より広いダイナミックレンジの輝度情報を得たい場合には、更に絞り値や光学フィルタの透過量等、フラッシュ発光量及びシャッターの開放時間以外の他の露出条件を変化させることにより、一連の撮影における露出量の可変量を大きくすることができる。以下、フラッシュ発光量、シャッターの開放時間の他、絞り値の変化を露出制御に用いる場合を例にとり説明する。
【００５７】
当該変形例１において、ＲＯＭ２２は、更に図６（ａ）に示す基準フラッシュ発光量テーブル２２４及び図６（ｂ）に示す基準シャッター開放時間テーブル２２５を記憶している。基準フラッシュ発光量テーブル２２４は、定常光の被写体照度レベルＳ及び絞り値の組み合わせ毎に、一連の撮影の基準となる撮影における適正露出量を実現するための基準フラッシュ発光量と基準シャッター開放時間との組み合わせのうち、基準フラッシュ発光量を示す情報を記憶するものである。各基準フラッシュ発光量の情報は、ここでは予め設定されたフラッシュ発光量からの変化量で示されている。基準シャッター開放時間テーブル２２５は、定常光の被写体照度レベルＳ及び絞り値の組み合わせ毎に、一連の撮影の基準となる撮影における適正露出量を実現するための基準フラッシュ発光量と基準シャッター開放時間との組み合わせのうち、基準シャッター開放時間を示す情報を記憶するものである。各基準シャッター開放時間の情報は、ここでは予め設定されたシャッター開放時間からの変化量で示されている。
【００５８】
ここで、一般的に、定常光の被写体照度レベルＳが同レベル同士では、絞りが開放になる（F値が小さい）ほど適正露出を得るためのシャッター開放時間を短くする必要がある。また、シャッター開放時間が長いほど、相対的にフラッシュ光に対する定常光の露出への関与が大きくなる（図４（ａ）参照）。上記基準フラッシュ発光量及び基準シャッター開放時間の組み合わせは、フラッシュ発光量を第一優先、シャッター開放時間を第２優先として、なるべくそれぞれの変化幅を抑制する（小さくなる）ように設定された基準条件である。
【００５９】
上記基準フラッシュ発光量テーブル２２４及び基準シャッター開放時間テーブル２２５に設定されている、定常光の被写体照度レベルＳ及び絞り値の組み合わせ毎に基準フラッシュ発光量及び基準シャッター開放時間で露出制御を行った場合において、定常光とフラッシュ光との比を求めると、図６（ｃ）に示す定常光／フラッシュ光テーブル２２６のとおりとなる。
【００６０】
図６（ｃ）に示すように、定常光の被写体照度レベルＳが同レベルであれば絞り値が大きくなるほどフラッシュ光に対する定常光の比率が大きくなり、絞り値が同じであれば定常光の被写体照度レベルＳが大きいほどフラッシュ光に対する定常光の比率が大きくなる。即ち、絞り値を変化させる場合、露出に占めるフラッシュ光に対する定常光の比率は、定常光の被写体照度レベルＳのみでは判断することはできない。
【００６１】
そこで、絞り値を変化させる場合のオートブラケット撮影の一連の撮影において、撮影制御部２のＣＰＵ２１は、
定常光／フラッシュ光≦0.2・・・露出条件テーブルＢ２２２
0.2≦定常光／フラッシュ光≦5．0・・・露出条件テーブルＡ２２１
定常光／フラッシュ光≧5.0・・・露出条件テーブルＣ２２３
を参照してフラッシュ発光量及びシャッター開放時間を決定して撮影を行うことにより、一連の撮影において、定常光の被写体照度レベルＳ及びシャッター開放時間以外の露出条件（ここでは、絞り値）に応じて、フラッシュ発光量とシャッター開放時間との組み合わせを変化させて適性に露出制御を行うことが可能となる。これにより、一連の撮影における露出量の可変量を大きくすることができ、より広いダイナミックレンジの被写体輝度情報を得ることが可能となる。
【００６２】
なお、上記基準フラッシュ発光量テーブル２２４及び基準シャッター開放時間テーブル２２５の内容は、定常光の被写体照度レベルＳ及びシャッター開放時間以外の露出条件（ここでは絞り）に応じてフラッシュ発光量とシャッタースピードとの組み合わせを変化させて露出制御を行う処理を実施するための一例として示したものであり、これに限定されるものではない。
【００６３】
また、上記変形例１においては、フラッシュ発光量及びシャッター開放時間以外の露出条件として、絞り値の変化を例にとり説明したが、これに限定されず、例えば、光軸経路中に着脱可能な、或いはその光学濃度を制御可能な光学フィルタの光の透過量の変化を用いて、露出の可変量を大きくするようにしてもよい。この場合、ピント状態が一切変化しない一連の撮影画像を得ることが可能となる。
【００６４】
（変形例２）
以下、上記実施の形態の変形例２について説明する。
フラッシュ光を用いて撮影を行う場合、フラッシュ光の状態が定常光の状態に近いほど実際のシーンの再現性が高まり、画質の向上を図ることができるので好ましい。
【００６５】
そこで、撮影システム１００において、フラッシュ発光部４は、複数の異なる色温度のフラッシュ光を照射可能な複数のフラッシュ光源を有する構成とし、また、撮影システム１００は、色温度計等、定常光の色温度を検出する色温度検出部を備える構成とする。そして、撮影制御部２は、撮影を行う際に、更に色温度検出部により検出された定常光の色温度に最も近い色温度のフラッシュ光を照射可能なフラッシュ光源を選択的に発光させるか或いは他のフラッシュ光源に比べて発光量を増加させるように制御する。
【００６６】
或いは、撮影システム１００において、フラッシュ発光部４は、フラッシュ光の色温度をフィルタ等により調整可能な構成とし、また、撮影システム１００は、色温度計等、定常光の色温度を検出する色温度検出部を備える構成とする。そして、撮影制御部２は、撮影を行う際に、更に定常光検出部１により検出された定常光の色温度に近似する色温度となるようにフラッシュ光の色温度を制御する。
【００６７】
これにより、フラッシュ光の色温度と定常光の色温度との差異を小さくすることができ、画質の向上を図ることが可能となる。
【００６８】
また、撮影システム１００において、フラッシュ発光部４は、それぞれ異なる方向にフラッシュ光を照射する複数のフラッシュ光源を有する構成とし、また、撮影システム１００は、定常光の照射方向を検出する定常光照射方向検出部を備える構成とする。そして、撮影制御部２は、撮影を行う際に、更に定常光照射方向検出部により検出された定常光の照射方向に応じて、フラッシュ光の照射方向が定常光の照射方向に最も近いフラッシュ光源を選択的に発光させるか或いは他のフラッシュ光源に比べて発光量を増加させるように制御する。
【００６９】
或いは、撮影システム１００において、フラッシュ発光部４は、フラッシュ光源の方向を変更する移動機構を有する構成とし、また、撮影システム１００は、定常光の照射方向を検出する定常光照射方向検出部を備える構成とする。そして、撮影制御部２は、撮影を行う際に、更にフラッシュ光の照射方向が検出された定常光の照射方向と略同一の方向となるようにフラッシュ光源の方向を制御する。
【００７０】
これにより、フラッシュ光の照射方向と定常光の照射方向との差異を小さくすることができ、画質の向上を図ることが可能となる。
【００７１】
以上、本発明の実施の形態について説明してきたが、上記実施の形態及び各変形例おける記述内容は、本発明に係る撮影画像処理システム１００の好適な一例であり、これに限定されるものではない。
例えば、上記第１の実施の形態において、撮影部３はデジタルカメラとして説明したが、これに限定されず、フィルムを用いる銀塩カメラであっても本発明を適用することが可能である。
【００７２】
その他、撮影システム１００の細部構成及び細部動作に関しても、本発明の趣旨を逸脱することのない範囲で適宜変更可能である。
【図面の簡単な説明】
【００７３】
【図１】本発明に係る撮影システム１００の全体構成を示すブロック図である。
【図２】（ａ）は、露出条件テーブルＡ２２１のデータ格納例を示す図、（ｂ）は、露出条件テーブルＢ２２２のデータ格納例を示す図、（ｃ）は、露出条件テーブルＣ２２３のデータ格納例を示す図である。
【図３】撮影制御部２のＣＰＵ２１により実行されるオートブラケット撮影制御処理を示すフローチャートである。
【図４】（ａ）は、シャッター開放時間Tの変化による露出量EVの変化及び露出量EVに占めるフラッシュ光F及び定常光Gの変化を示すグラフ、（ｂ）は、フラッシュ発光量Lの変化による露出量EVの変化及び露出量EVに占めるフラッシュ光F及び定常光Gの変化を示すグラフ、（ｃ）は、シャッター開放時間T及びフラッシュ発光量Lの変化による露出量EVの変化及び露出量EVに占めるフラッシュ光F及び定常光Gの変化を示すグラフである。
【図５】オートブラケット撮影により得られた一連の画像を合成して広ダイナミックレンジの合成画像を得る過程を示す模式図である。
【図６】（ａ）は、基準フラッシュ発光量テーブル２２４のデータ格納例を示す図、（ｂ）は、基準シャッター開放時間テーブル２２５のデータ格納例を示す図、（ｃ）は定常光／フラッシュ光テーブル２２６を示す図である。
【符号の説明】
【００７４】
１００  撮影システム
１  定常光検出部
２  撮影制御部
２１  ＣＰＵ
２２  ＲＯＭ
２２１  露出条件テーブルＡ
２２２  露出条件テーブルＢ
２２３  露出条件テーブルＣ
３  撮影部
４  フラッシュ発光部
５  操作部
【図１】
2005242160.tif 000003
【図２】
2005242160.tif 000004
【図３】
2005242160.tif 000005
【図４】
2005242160.tif 000006
【図５】
2005242160.tif 000007
【図６】
2005242160.tif 000008